(57)【要約】【課題】幅等の寸法を小さく抑えることができ、反射板等の設備を要することなく、広がりを持った配光パターンの間接照明が得られる照明器具を提供する。【解決手段】照明器具は、有機ＥＬパネル１０と、壁面に固定されて、有機ＥＬパネル１０を保持する保持機構１１とを有している。有機ＥＬパネル１０は、非透光性の樹脂材料から構成される基板５０と、電圧が印加されることで発光する発光素子５１と、発光素子５１を覆う透光性の封止部材５２とを有している。基板５０は、断面Ｕ字状に成形されており、Ｕ字内側の表面５０ａに、発光素子５１と封止部材５２とが接合されている。保持機構１１は、Ｕ字内側の表面５０ａが壁面と対向するように、基板５０のＵ字底部５０ｂを保持している。【選択図】図２
2011028960.tif 000002
【特許請求の範囲】
【請求項１】
有機ＥＬパネルと、
壁面に固定されて、前記有機ＥＬパネルを保持する保持機構とを有し、
前記有機ＥＬパネルは、非透光性部材から構成される基板と、前記保持機構を通じて電圧が印加されることで発光する発光素子とを有し、
前記基板は、曲がった構造に成形されて、その所定位置が前記保持機構によって保持され、
前記発光素子は、前記基板が前記保持機構に保持された状態において、前記壁面に対向する前記基板の表面に形成されることを特徴とする照明器具。
【請求項２】
前記基板は、断面Ｕ字状に成形されて、該Ｕ字内側の表面が前記壁面と対向するように、前記保持機構によって保持され、
前記発光素子は、前記Ｕ字内側の表面に形成されることを特徴とする請求項１に記載の照明器具。
【請求項３】
前記基板は、断面Ｕ字状に成形されて、該Ｕ字外側の表面が前記壁面と対向するように、前記保持機構によって保持され、
前記発光素子は、前記Ｕ字外側の表面に形成されることを特徴とする請求項１に記載の照明器具。
【発明の詳細な説明】
【技術分野】
【０００１】
本発明は、有機ＥＬパネルを光源として備えた照明器具に関する。
【背景技術】
【０００２】
壁面に光を照射して、その反射光により室内の照明を行う間接照明用器具として、電球を光源とする照明器具が用いられている。この種の照明器具では、一般に、電球ソケット等が設けられて電球を保持する保持部や、電球から発せられる光のグレアをカットするカバーが設けられている。
【０００３】
また間接照明用器具の他の例として、特許文献１には、有機ＥＬ素子を光源として用いる照明器具が開示されている。この照明器具は、天井に取り付けられる反射板と、反射板に吊り下げられる照明基板とを備えており、照明基板は扁平状に形成され、反射板の下面は上方に凹となる湾曲状に形成されている。そして、照明基板の上面（反射板に対向する面）には有機ＥＬ素子から構成された面発光部が形成されており、面発光部から発せられた光が、反射板の下面に向けて投射されるようになっている。
【先行技術文献】
【特許文献】
【０００４】
【特許文献１】特開２００８−２０４８９３号公報
【発明の概要】
【発明が解決しようとする課題】
【０００５】
ところで、上述の電球を光源とする照明器具において、保持部やカバーを設けた場合には、照明器具の幅等の寸法が、大きくなる虞れがある。
【０００６】
また、特許文献１では、照明基板が扁平状を呈していることで、湾曲した形状を呈する反射板を設ける必要があると考えられる。すなわち、例えば反射板を介在させずに照明基板を天井に吊り下げた場合には、有機ＥＬ素子から発せられた光は、天井に向けて出射される。この際には、照明基板が扁平状を呈していることで、有機ＥＬ素子から発せられた光は、天井の表面に対して直角に入射した後、天井によって反射されることになる。この結果、天井によって反射された光は、広がりのない配光パターンとなる。これを回避するために、特許文献１では、天井と照明基板との間に湾曲状に形成した反射板を介在させて、反射板の反射により光を拡散させているものと考えられる。このことから、特許文献１の照明器具は、照明基板を扁平状に形成したことで、湾曲状の反射板を天井と照明器具との間に介在させる必要があり、この結果、大がかりな設備を有するものとなっている。
【０００７】
本発明は、こうした状況に鑑みてなされたものであり、幅等の寸法を小さく抑えることができ、反射板等の設備を要することなく、広がりを持った配光パターンの間接照明が得られる照明器具を提供することを目的とする。
【課題を解決するための手段】
【０００８】
上記目的を達成するため、本発明に係る照明器具は、有機ＥＬパネルと、壁面に固定されて、前記有機ＥＬパネルを保持する保持機構とを有し、前記有機ＥＬパネルは、非透光性部材から構成される基板と、前記保持機構を通じて電圧が印加されることで発光する発光素子とを有し、前記基板は、曲がった構造に成形されて、その所定位置が前記保持機構によって保持され、前記発光素子は、前記基板が前記保持機構に保持された状態において、前記壁面に対向する前記基板の表面に形成されることを特徴とする。
【発明の効果】
【０００９】
本発明の照明器具によれば、発光素子と一体に設けられた基板が、発光素子から発せられる光のグレアをカットするカバーとして機能するため、グレアカット用のカバーを別途設ける必要がない。これにより、照明器具の幅等の寸法を小さく抑える上で有利になる。
【００１０】
また、基板を曲げた構造としていることで、基板上に形成された発光素子から発せられる光は、壁面に対して様々な角度で入射する。この結果、壁面によって反射される光は、多様な方向に向かうものとなるため、広がりをもった配光パターンの間接照明が得られる。
【図面の簡単な説明】
【００１１】
【図１】本発明の実施の形態における照明器具を示す図であり、（ａ）は照明器具の正面図であり、（ｂ）は照明器具の側面図である。
【図２】図１に示す有機ＥＬパネルをＡ−Ａ線で切断した断面図である。
【図３】図１に示す有機ＥＬパネルをＢ−Ｂ線で切断した断面図である。
【図４】本発明の変形例としての照明器具を示す図であり、（ａ）は照明器具の正面図であり、（ｂ）は照明器具の側面図である。
【図５】図４に示す有機ＥＬパネルをＡ−Ａ線で切断した断面図である。
【発明を実施するための形態】
【００１２】
以下、本発明の実施の形態について図を参照しながら詳細に説明する。図１は、本発明の実施の形態における照明器具１を示す図であり、（ａ）は、照明器具１の正面図であり、（ｂ）は、照明器具１の側面図である。
【００１３】
照明器具１は、光源としての有機ＥＬパネル１０と、壁面に固定される保持機構１１とを有している。
【００１４】
図２は、有機ＥＬパネル１０を図１のＡ−Ａ線で切断した断面図であり、図３は、有機ＥＬパネル１０を図１のＢ−Ｂ線で有機ＥＬパネル１０を切断した断面図である。
【００１５】
有機ＥＬパネル１０は、非透光性の樹脂材料から構成される基板５０と、電圧が印加されることで発光する発光素子５１と、発光素子５１を覆う透光性の封止部材５２とを有している。
【００１６】
基板５０は、断面Ｕ字状に成形されており、Ｕ字内側の表面５０ａに、発光素子５１と封止部材５２とが接合されている。保持機構１１は、Ｕ字内側の表面５０ａが壁面と対向するように、基板５０のＵ字底部５０ｂにおける両側面を保持している。
【００１７】
図３に示すように、発光素子５１は、陽極５１ａと、正孔輸送層５１ｂと、発光層５１ｃと、電子輸送層５１ｄと、陰極５１ｅとが、この順で基板５０の上に積層されたものであり、陽極５１ａと陰極５１ｅとの間に、保持機構１１を通じて電圧が印加されるようになっている。また、正孔輸送層５１ｂは、正孔輸送性の有機化合物から構成され、発光層５１ｃは、有機発光性化合物から構成され、電子輸送層５１ｄは、電子輸送性の有機化合物から構成されている。
【００１８】
上記の構成を有する有機ＥＬパネル１０では、陽極５１ａと陰極５１ｅとの間に電圧が印加されることで、陽極５１ａから正孔輸送層５１ｂを介して発光層５１ｃに正孔が注入され、陰極５１ｅから電子輸送層５１ｄを介して発光層５１ｃに電子が注入される。この結果、発光層５１ｃでは、正孔と電子との結合が生じ、これに伴って生成される励起子が励起状態から基底状態へ移行することで発光現象が生じる。この際、非透光性部材から構成された基板５０は、発光素子５１の光（発光層５１ｃの光）のグレアをカットするカバーとして機能し、透光性部材から構成された封止部材５２は、発光素子５１の光（発光層５１ｃの光）を通過させる。この結果、封止部材５２を通過した光のみが、有機ＥＬパネル１０の外側へ出射される。この際には、発光素子５１が壁面と対向する基板５０のＵ字内側の表面５０ａに形成されていることで、封止部材５２を通過した光は、壁面に向かうものとなる。そして、この光を壁面が反射することによって、間接照明が得られる。
【００１９】
本実施の形態によれば、発光素子５１と一体に設けられた基板５０が、発光素子５１から発せられる光のグレアをカットするカバーとして機能するため、グレアカット用のカバーを別途設ける必要がない。これにより、照明器具１の幅等の寸法を小さく抑える上で有利になる。
【００２０】
また、基板５０を曲げた構造としていることで、基板５０上に形成された発光素子５１から発せられる光は、壁面に対して様々な角度で入射する。この結果、壁面によって反射される光は、多様な方向に向かうものとなるため、反射板等の設備を要することなく、広がりをもった配光パターンの間接照明が得られる。
【００２１】
なお、有機ＥＬパネル１０は、例えば、次のようにして製造することができる。
【００２２】
まず、基板５０を用意し、この基板５０におけるＵ字内側の表面５０ａ上に陽極５１ａを形成する。陽極５１ａは、例えば、プラズマＣＶＤ、熱ＣＶＤのような化学蒸着法、真空蒸着等の方法を用いて形成することができる。
【００２３】
次に、陽極５１ａ上に、正孔輸送層５１ｂを形成する。正孔輸送層５１ｂは、例えば、ＣＶＤ法や、真空蒸着等の方法を用いて形成することができる。
【００２４】
次に、正孔輸送層５１ｂ上に、発光層５１ｃを形成する。発光層５１ｃは、例えば、ＣＶＤ法や、真空蒸着等の方法を用いて形成することができる。
【００２５】
次に、発光層５１ｃ上に、電子輸送層５１ｄを形成する。電子輸送層５１ｄは、例えば、ＣＶＤ法や、真空蒸着等の方法を用いて形成することができる。
【００２６】
次に、電子輸送層５１ｄ上に、陰極５１ｅを形成する。陰極５１ｅは、例えば、真空蒸着法や、スパッタリング法等の方法を用いて形成することができる。
【００２７】
以上により、発光素子５１が得られる。そして最後に、発光素子５１を覆うように封止部材５２を基板５０におけるＵ字内側の表面５０ａに接合することで、有機ＥＬパネル１０が得られる。
【００２８】
また、本発明は、上述した実施の形態に限定されず、特許請求の範囲において種々変更することができる。
【００２９】
図４は、本発明の変形例としての照明器具２を示す図であって、（ａ）は、照明器具２の正面図であり、（ｂ）は、照明器具２の側面図である。なお、以下では、図１に示した照明器具１と共通する部分については、同一の符号を記し、詳細な説明を省略する。
【００３０】
照明器具２は、光源としての有機ＥＬパネル２０と、壁面に固定される保持機構２１とを有している。
【００３１】
図５は、有機ＥＬパネル２０を図４に示すＡ−Ａ線で切断した断面図である。
【００３２】
有機ＥＬパネル２０においても、基板５０は断面Ｕ字状に成形されている。そして、発光素子５１と封止部材５２とは、基板５０におけるＵ字外側の表面５０ｃに接合されており、保持機構２１は、Ｕ字外側の表面５０ｃが壁面と対向するように、基板５０のＵ字底部５０ｂにおける両側面を保持している。
【００３３】
有機ＥＬパネル２０の発光素子５１も、図３に示す積層構造を有しており（図３は図４のＢ−Ｂ線断面図にも相当）、有機ＥＬパネル２０は、図１，２に示した有機ＥＬパネル１０と同様の製法によって製造される。
【００３４】
以上の構成を有する照明器具２においても、発光素子５１と一体に設けられた基板５０が、発光素子５１から発せられる光のグレアをカットするカバーとして機能するため、グレアカット用のカバーを別途設ける必要がない。これにより、照明器具２の幅等の寸法を小さく抑える上で有利になる。
【００３５】
また照明器具２においても、基板５０が曲がった構造（Ｕ字状）を有していることで、発光素子５１から発せられる光は、壁面に対して様々な角度で入射する。これにより、壁面によって反射される光は、あらゆる方向に向かうため、反射板等の設備を要することなく、広がりをもった配光パターンの間接照明が得られる。
【００３６】
また、上述の照明器具１，２とは異なり、基板５０は、例えば「く」の字状やＷ字状やジグザグ形状等の曲がった構造に成形されてもよい。この場合、基板５０は、その所定位置が保持機構によって保持され、発光素子５１は、基板５０が保持機構に保持された状態において、壁面に対向する基板５０の表面に形成される。
【００３７】
その他、本発明の好適な変形として、以下の構成が含まれる。
【００３８】
本発明に係る照明器具について、好ましくは、前記基板は、断面Ｕ字状に成形されて、該Ｕ字内側の表面が前記壁面と対向するように、前記保持機構によって保持され、前記発光素子は、前記Ｕ字内側の表面に形成されることを特徴とする。
【００３９】
またあるいは、前記基板は、断面Ｕ字状に成形されて、該Ｕ字外側の表面が前記壁面と対向するように、前記保持機構によって保持され、前記発光素子は、前記Ｕ字外側の表面に形成されることを特徴とする。
【符号の説明】
【００４０】
１，２  照明器具
１０，２０  有機ＥＬパネル
１１，２１  保持機構
５０  基板
５０ａ  Ｕ字内側の表面
５０ｂ  Ｕ字底部
５０ｃ  Ｕ字外側の表面
５１  発光素子
５１ａ  陽極
５１ｂ  正孔輸送層
５１ｃ  発光層
５１ｄ  電子輸送層
５１ｅ  陰極
５２  封止部材
【図１】
2011028960.tif 000003
【図２】
2011028960.tif 000004
【図３】
2011028960.tif 000005
【図４】
2011028960.tif 000006
【図５】
2011028960.tif 000007